(57)【要約】  物理ダウンリンク制御チャネル（ＰＤＣＣＨ）を検出するための方法およびデバイスが提供される。本発明の実施形態によると、ＰＤＣＣＨを検出するための方法は、拡張ＰＤＣＣＨ（Ｅ−ＰＤＣＣＨ）の構成を受信するステップと、サブフレームを受信するステップと、受信されたサブフレームがマルチメディア・ブロードキャスト・マルチキャスト・サービス単一周波数ネットワーク（ＭＢＳＦＮ）サブフレームかどうかを判定するステップと、判定結果により、ＰＤＣＣＨを検出するステップであって、受信されたサブフレームがＭＢＳＦＮサブフレームである場合、ＭＢＳＦＮサブフレームの共通のＰＤＣＣＨが検出され、受信されたサブフレームが非ＭＢＳＦＮサブフレームである場合、非ＭＢＳＦＮサブフレームのＥ−ＰＤＣＣＨが検出されるステップとを含む。したがって、マルチメディア・ブロードキャスト・マルチキャスト・サービス（ＭＢＭＳ）およびＥ−ＰＤＣＣＨをサポートするユーザ機器（ＵＥ）は正しくスケジューリングされ、システム容量およびスループットを増加することができる。
2015516787.tif 000002
【特許請求の範囲】
【請求項１】
物理ダウンリンク制御チャネル（ＰＤＣＣＨ）を検出するための方法であって、
拡張ＰＤＣＣＨ（Ｅ−ＰＤＣＣＨ）の構成を受信するステップと、
サブフレームを受信するステップと、
前記受信されたサブフレームがマルチメディア・ブロードキャスト・マルチキャスト・サービス単一周波数ネットワーク（ＭＢＳＦＮ）サブフレームかどうかを判定するステップと、
判定結果に従って、前記ＰＤＣＣＨを検出するステップであって、前記受信されたサブフレームがＭＢＳＦＮサブフレームである場合、そこに共通のＰＤＣＣＨが検出され、前記受信されたサブフレームが非ＭＢＳＦＮサブフレームである場合、そこにＥ−ＰＤＣＣＨが検出されるステップと
を含む方法。
【請求項２】
前記ＭＢＳＦＮサブフレームは、システム情報ブロックおよび／または無線リソース制御（ＲＲＣ）シグナリングを通じて送信され、前記システム情報ブロックを通じて送信された前記ＭＢＳＦＮサブフレームは、半静的なＭＢＳＦＮサブフレームであり、前記ＲＲＣシグナリングを通じて送信された前記ＭＢＳＦＮサブフレームは、動的なＭＢＳＦＮサブフレームであり、前記半静的なＭＢＳＦＮサブフレームのすべてまたは一部を含む請求項１に記載の方法。
【請求項３】
前記受信されたサブフレームがＭＢＳＦＮサブフレームかどうかを判定するステップは、上位レイヤ・シグナリングが受信されたかどうかを判定するステップであって、前記上位レイヤ・シグナリングは、前記受信されたサブフレームが、物理マルチキャスト・チャネル（ＰＭＣＨ）を運ぶＭＢＳＦＮサブフレームであることを示す、ステップと、ＰＭＣＨを運ぶＭＢＳＦＮサブフレームについて、そこに共通のＰＤＣＣＨを検出するステップと、ＰＭＣＨを運ばないＭＢＳＦＮサブフレーム、および非ＭＢＳＦＮサブフレームについて、そこにＥ−ＰＤＣＣＨを検出するステップとをさらに含む請求項１に記載の方法。
【請求項４】
前記上位レイヤ・シグナリングは、ＲＲＣシグナリングであるか、またはマルチキャスト制御チャネル（ＭＣＣＨ）によって送信されたシグナリングである請求項３に記載の方法。
【請求項５】
前記共通のＰＤＣＣＨを検出する場合、セル無線ネットワーク一時識別子（Ｃ−ＲＮＴＩ）により、そのダウンリンク制御情報（ＤＣＩ）を検出するステップであって、前記ＤＣＩの形式は、事前規定されているか、またはサービング・セルによって構成されている、ステップをさらに含む請求項１または３に記載の方法。
【請求項６】
前記共通のＰＤＣＣＨが検出された場合、検索領域は、ユーザ機器（ＵＥ）固有の検索領域または共通の検索領域より小さく、前記検索領域は、事前規定されているか、またはサービング・セルによって構成されている請求項１または３に記載の方法。
【請求項７】
物理ダウンリンク制御チャネル（ＰＤＣＣＨ）を検出するためのユーザ機器（ＵＥ）であって、
拡張ＰＤＣＣＨ（Ｅ−ＰＤＣＣＨ）の構成を受信する構成受信デバイスと、
サブフレームを受信するサブフレーム受信デバイスと、
前記受信されたサブフレームがマルチメディア・ブロードキャスト・マルチキャスト・サービス単一周波数ネットワーク（ＭＢＳＦＮ）サブフレームかどうかを判定する判定デバイスと、
判定結果により、前記ＰＤＣＣＨを検出する検出デバイスあって、前記受信されたサブフレームがＭＢＳＦＮサブフレームである場合、そこに共通のＰＤＣＣＨが検出され、前記受信されたサブフレームが非ＭＢＳＦＮサブフレームである場合、そこにＥ−ＰＤＣＣＨが検出される、検出デバイスと
を含むＵＥ。
【請求項８】
前記ＭＢＳＦＮサブフレームは、システム情報ブロックおよび／または無線リソース制御（ＲＲＣ）シグナリングを通じて送信され、前記システム情報ブロックを通じて送信された前記ＭＢＳＦＮサブフレームは、半静的なＭＢＳＦＮサブフレームであり、前記ＲＲＣシグナリングを通じて送信された前記ＭＢＳＦＮサブフレームは、動的なＭＢＳＦＮサブフレームであり、前記半静的なＭＢＳＦＮサブフレームのすべてまたは一部を含む請求項７に記載のＵＥ。
【請求項９】
前記判定デバイスは、上位レイヤ・シグナリングが受信されたかどうかを判定する上位レイヤ・シグナリング判定デバイスをさらに含み、前記上位レイヤ・シグナリングは、前記受信されたサブフレームが、物理マルチキャスト・チャネル（ＰＭＣＨ）を運ぶＭＢＳＦＮサブフレームであることを示し、ＰＭＣＨを運ぶＭＢＳＦＮサブフレームについて、前記検出デバイスは、そこに共通のＰＤＣＣＨを検出し、ＰＭＣＨを運ばないＭＢＳＦＮサブフレーム、および非ＭＢＳＦＮサブフレームについて、前記検出デバイスは、そこにＥ−ＰＤＣＣＨを検出する請求項７に記載のＵＥ。
【請求項１０】
前記上位レイヤ・シグナリングは、ＲＲＣシグナリングであるか、またはマルチキャスト制御チャネル（ＭＣＣＨ）によって送信されたシグナリングである請求項９に記載のＵＥ。
【請求項１１】
前記共通のＰＤＣＣＨが検出された場合、セル無線ネットワーク一時識別子（Ｃ−ＲＮＴＩ）により、そのダウンリンク制御情報（ＤＣＩ）が検出され、前記ＤＣＩの形式は、事前規定されているか、またはサービング・セルによって構成されている請求項７または９に記載のＵＥ。
【請求項１２】
前記共通のＰＤＣＣＨが検出された場合、検索領域は、ＵＥ固有の検索領域または共通の検索領域より小さく、前記検索領域は、事前規定されているか、またはサービング・セルによって構成されている請求項７または９に記載のＵＥ。
【発明の詳細な説明】
【技術分野】
【０００１】
本発明は、ワイヤレス通信における物理ダウンリンク制御チャネル（ＰＤＣＣＨ）の検出方法およびデバイスに関する。
【背景技術】
【０００２】
ロング・ターム・エボリューション（ＬＴＥ）プロジェクトは、近年、第３世代パートナーシップ・プロジェクト（３ＧＰＰ）によって開始された最大の新技術研究開発プロジェクトであり、コアである直交周波数分割多重／周波数分割多元接続（ＯＦＤＭ／ＦＤＭＡ）を用いる技術は、「４Ｇ（第４世代）」技術と見なされている。今後、ＬＴＥは、世界的に最も一般的な広域ブロードバンド移動通信システムになり、すべての２Ｇ／３Ｇ／３．５Ｇ技術は統合され、まとめてＬＴＥ／ＬＴＥ−Ａｄｖａｎｃｅｄ（ＬＴＥ／ＬＴＥ−Ａ）の段階へと発展するであろう。
【０００３】
マルチメディア・ブロードキャスト・マルチキャスト・サービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）をサポートするために、ＬＴＥ／ＬＴＥ−Ａは、マルチメディア・ブロードキャスト・マルチキャスト・サービス単一周波数ネットワーク（ＭＢＳＦＮ：Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ）サブフレームを導入する。ＭＢＳＦＮサブフレームでは、最初の１つまたは２つのシンボルは、ＰＤＣＣＨを送信するために使用され、他のシンボルは、ＭＢＭＳ情報を送信するために物理マルチキャスト・チャネル（ＰＭＣＨ）を運ぶために使用される。明らかに、ＭＢＳＦＮサブフレームは、アイドル状態のサブフレームの場合があり、ＰＭＣＨを運ばない。
【０００４】
他方では、スマートフォン市場が急速に拡大するにつれて、より多くのユーザ装置（ＵＥ）をサポートするために、モバイル通信ネットワークは、莫大な容量の圧力を運ぶことが要求される。したがって、各セルの容量を増加させる方法は、３ＧＰＰの課題となる。問題を解決する１つの方法は、ＰＤＣＣＨの容量を増加させること、すなわち、拡張ＰＤＣＣＨ（Ｅ−ＰＤＣＣＨ）を得るために既存の共通のＰＤＣＣＨを拡張することである。図１は、時間領域および周波数領域で拡張された非ＭＢＳＦＮサブフレームを含むＥ−ＰＤＣＣＨを示す代表的な図であり、水平方向は時間領域を表し、垂直方向は周波数領域を表す。簡潔さと便利さのために、図１は、参照信号、物理ＨＡＲＱインジケータ・チャネル（ＰＨＩＣＨ）、および物理制御フォーマットインジケータ・チャネル（ＰＣＦＩＣＨ）など、含まれている可能性のある他の信号またはシグナリングは示していない。図１によると、時間領域では、各サブフレームの最初の３つのシンボルは、共通のＰＤＣＣＨに使用され（図は、最初の３つのシンボルがすべて共通のＰＤＣＣＨに使用されるシナリオのみを示している）、サブフレームの残りのシンボルは、物理ダウンリンク共有チャネル（ＰＤＳＣＨ）を送信するために使用される。Ｅ−ＰＤＣＣＨを送信する必要がある場合、Ｅ−ＰＤＣＣＨを送信するためにＰＤＳＣＨの一部が使用される。
【０００５】
しかし、ＭＢＳＦＮサブフレームでＥ−ＰＤＣＣＨをどのようにスケジューリングするかは、まだ解決されていない難問である。理由は、アイドル状態でないＭＢＳＦＮサブフレーム（すなわち、ＰＭＣＨを持っている）は、Ｅ−ＰＤＣＣＨを運ぶ容量を持っていないためである。Ｅ−ＰＤＣＣＨを通じてスケジューリングを実行するように構成されたＵＥが、各ＭＢＳＦＮサブフレームでＥ−ＰＤＣＣＨを常に検出し、ＭＢＳＦＮサブフレームがＥ−ＰＤＣＣＨを伝えることができるかどうかを無視することが単に求められる場合、いったんあるサブフレームがＰＭＣＨを送信するように要求されると、ＵＥは、ＵＥによって必要とされるアップリンク（ＵＬ）グラントを受信することができず、その後のサブフレームを通じてアップリンク・データを送信することができない。さらに、ほとんどのＭＢＳＦＮサブフレームがアイドル状態でない場合、各ＭＢＳＦＮサブフレームでのＥ−ＰＤＣＣＨの検出は、必然的にＵＥの電力を浪費する。
【発明の概要】
【発明が解決しようとする課題】
【０００６】
本発明の目的は、ＭＢＭＳとＥ−ＰＤＣＣＨの両方にサポートをすることによって引き起こされる、ＵＬグラントを受信できないという問題を解決するために、ＰＤＣＣＨを検出するための方法およびデバイスを提供することである。
【課題を解決するための手段】
【０００７】
本発明の実施形態は、ＰＤＣＣＨを検出するための方法を提供する。方法は、Ｅ−ＰＤＣＣＨの構成を受信するステップと、サブフレームを受信するステップと、受信されるサブフレームがＭＢＳＦＮサブフレームかどうかを判定するステップと、判定結果により、ＰＤＣＣＨを検出するステップであって、受信されたサブフレームがＭＢＳＦＮサブフレームである場合、ＭＢＳＦＮサブフレームの共通のＰＤＣＣＨが検出され、受信されたサブフレームが非ＭＢＳＦＮサブフレームである場合、非ＭＢＳＦＮサブフレームのＥ−ＰＤＣＣＨが検出されるステップとを含む。
【０００８】
一実施形態では、ＭＢＳＦＮサブフレームは、システム情報ブロックおよび／または無線リソース制御（ＲＲＣ）シグナリングを通じて送信される。システム情報ブロックを通じて送信されたＭＢＳＦＮサブフレームは、半静的なＭＢＳＦＮサブフレームであり、ＲＲＣシグナリングを通じて送信されたＭＢＳＦＮサブフレームは、動的なＭＢＳＦＮサブフレームであり、半静的なＭＢＳＦＮサブフレームすべてまたは一部を含む。他の実施形態では、受信されたサブフレームがＭＢＳＦＮサブフレームかどうかを判定するステップは、上位レイヤ・シグナリングが受信されたかどうかを判定するステップであって、上位レイヤ・シグナリングは、受信されたサブフレームがＰＭＣＨを運ぶＭＢＳＦＮサブフレームであることを示す、ステップと、ＰＭＣＨを運ぶＭＢＳＦＮサブフレームについて、ＭＢＳＦＮサブフレームにおいて共通のＰＤＣＣＨを検出するステップと、ＰＭＣＨを運ばないＭＢＳＦＮサブフレーム、および非ＭＢＳＦＮサブフレームについて、サブフレームにおいてＥ−ＰＤＣＣＨを検出するステップとをさらに含む。上位レイヤ・シグナリングは、ＲＲＣシグナリングであるか、またはマルチキャスト制御チャネル（ＭＣＣＨ）によって送信されたシグナリングである。一実施形態では、本発明は、共通のＰＤＣＣＨを検出するときに、セル無線ネットワーク一時識別子（Ｃ−ＲＮＴＩ）により、そのダウンリンク制御情報（ＤＣＩ）を検出するステップであって、ＤＣＩの形式は、事前規定されているか、またはサービング・セルによって構成されている、ステップをさらに含む。ＵＥが共通のＰＤＣＣＨを検出する場合、検索領域は、ＵＥ固有の検索領域または共通の検索領域より小さく、検索領域は、事前規定されているか、またはサービング・セルによって構成されている。
【０００９】
本発明の実施形態は、ＰＤＣＣＨを検出するためにＵＥを提供する。ＵＥは、Ｅ−ＰＤＣＣＨの構成を受信する構成受信デバイスと、サブフレームを受信するサブフレーム受信デバイスと、受信されたサブフレームがＭＢＳＦＮサブフレームかどうかを判定する判定デバイスと、判定結果により、ＰＤＣＣＨを検出する検出デバイスあって、受信されたサブフレームがＭＢＳＦＮサブフレームである場合、受信されたサブフレームの共通のＰＤＣＣＨが検出され、受信されたサブフレームが非ＭＢＳＦＮサブフレームである場合、受信されたサブフレームのＥ−ＰＤＣＣＨが検出される検出デバイスとを含む。
【００１０】
一実施形態では、判定デバイスは、上位レイヤ・シグナリングが受信されたかどうかを判定する上位レイヤ・シグナリング判定デバイスであって、上位レイヤ・シグナリングは、受信されたサブフレームがＰＭＣＨを運ぶＭＢＳＦＮサブフレームである上位レイヤ・シグナリング判定デバイスをさらに含む。ＰＭＣＨを運ぶＭＢＳＦＮサブフレームについて、検出デバイスは、ＭＢＳＦＮサブフレームにおいて共通のＰＤＣＣＨを検出し、ＰＭＣＨおよび非ＭＢＳＦＮサブフレームを運ばないＭＢＳＦＮサブフレームについて、検出デバイスは、サブフレームにおいてＥ−ＰＤＣＣＨを検出する。
【００１１】
本発明は、従来技術のＭＢＭＳとＥ−ＰＤＣＣＨの両方にサポートを提供することによって引き起こされる、ＵＬグラントを受信できないという問題を解決するために、異なるタイプのサブフレームに対するＰＤＣＣＨスケジュール情報を検出する。ＵＥが正しくスケジューリングされることが保証されるだけでなく、システム容量およびスループットが増加する。
【図面の簡単な説明】
【００１２】
【図１】時間領域および周波数領域で拡張された非ＭＢＳＦＮサブフレームを含むＥ−ＰＤＣＣＨを示す代表的な図である。
【図２】本発明の実施形態によるＰＤＣＣＨを検出するための方法を示すフローチャートである。
【図３】本発明の実施形態によるＰＤＣＣＨを検出するための方法を示すフローチャートである。
【図４】本発明の実施形態によるＰＤＣＣＨを検出するためのＵＥの構造を示すブロック図である。
【発明を実施するための形態】
【００１３】
本発明の精神をよりよく理解するために、本発明の一部の好ましい実施形態に関して、下記に精神についてさらに記述する。
【００１４】
ＬＴＥ／ＬＴＥ−Ａにより、ＭＢＭＳをサポートするために、ネットワーク側は、ＭＢＳＦＮサブフレームを送信する。さらに、各セルの容量を増加させるために、ネットワーク側は、ＵＥのすべてまたは一部についてＥ−ＰＤＣＣＨを構成することができる。アイドル状態のＭＢＳＦＮサブフレームだけがＥ−ＰＤＣＣＨを送信することができるため、ＭＢＭＳ情報を送信するためにＰＭＣＨを運ぶ使用中のＭＢＳＦＮサブフレームは、共通のＰＤＣＣＨだけを送信することができる。Ｅ−ＰＤＣＣＨスケジューリングをサポートするＵＥがＵＬグラントを取得できるように、ＭＢＳＦＮサブフレームに基づいてＵＥをスケジューリングする方法は、ＬＴＥ／ＬＴＥ−Ａにおいて解決するべき緊急の問題である。
【００１５】
本発明の実施形態は、ＰＤＣＣＨを検出するための方法およびデバイスを提供し、ＵＥがＵＬグラントを受信できることを保証するために、ＵＥは、異なるタイプのサブフレームにより異なるＰＤＣＣＨを検出する。
【００１６】
本発明の実施形態によると、ワイヤレス通信システムにおいて、ＵＥおよびそのサービング・セルは、ＲＲＣ接続を確立する。キャリア・アグリゲーション（ＣＡ）では、サービング・セルは、また、主なサービング・セルとも呼ばれる。ＵＥがアクセス・プロセスを開始すると、そのサービング基地局（ＢＳ）は、ＵＥをスケジューリングするために共通のＰＤＣＣＨを使用する。サービングＢＳは、ＵＥにＣ−ＲＮＴＩを割り当てる。ＵＥは、そのＣ−ＲＮＴＩに基づいて、スケジュール情報を取得するために、共通のＰＤＣＣＨで送信された物理ダウンリンク制御信号を復号および受信することができる。それに対応して、サービングＢＳは、アクセス・プロセスを通じてＵＥの機能を理解し、それに応じて、Ｅ−ＰＤＣＣＨを通じてＵＥがスケジューリングをサポートするかどうかを判定することができる。
【００１７】
一方、サービングＢＳは、さらにＭＢＭＳをサポートする。すなわち、ＭＢＳＦＮサブフレームをＵＥに送信することができる。しかし、サービングＢＳは、共通のＰＤＣＣＨを通じてＵＥをスケジューリングするため、ＵＥは共通のＰＤＣＣＨを検出し、ＵＬグラントを受信できないという問題は存在しない。
【００１８】
ますます多くのＵＥがサービング・セルにアクセスするにつれて、サービングＢＳは、共通のＰＤＣＣＨの負荷が非常に大きいことを認識し、したがって、現在のシステムに対する圧力を緩和し、さらにシステムの容量を増加させるために、ＵＥの一部をスケジューリングするためにＥ−ＰＤＣＣＨを使用することを決定する。明らかに、ＵＥは、Ｅ−ＰＤＣＣＨをサポートする機能を持つものとして、アクセス・プロセスにおいてサービングＢＳによって判定される。他方では、ワイヤレス通信技術が発展するにつれて、将来的に、ＵＥが設計されるときに、Ｅ−ＰＤＣＣＨのサポートにおけるその機能を考慮することができ、Ｅ−ＰＤＣＣＨを完全にサポートするようにワイヤレス通信システム全体を最初に設定することができるため、システム容量により調整する必要がなくなる。
【００１９】
スケジューリングを実行するためにＥ−ＰＤＣＣＨを使用し始める前に、サービングＢＳは、対応するＵＥにＥ−ＰＤＣＣＨ構成を送信し、これはＥ−ＰＤＣＣＨサブバンド情報など必要なパラメータを含む。この場合、ＵＥは、通常のスケジュール情報が取得されることを保証するために、本発明によって提供されるＰＤＣＣＨを検出するための方法を使用することが必要である。
【００２０】
図２は、本発明の実施形態によるＰＤＣＣＨを検出するための方法１０を示すフローチャートである。フローチャートにおいてステップの順序は必ずしも実際の用途における順序と同じではない場合があり、また本発明は特定の順序に限定されないことに注意されたい。同様に、本発明による他の方法のステップは、記述するような特定の順序または手続きに限定されない。
【００２１】
最初に、ステップ１００で、ＵＥは、そのサービングＢＳからＥ−ＰＤＣＣＨの構成を受信することを必要とする。ステップ１０１で、ＵＥは、通常のように、サービングＢＳからサブフレームを受信する。本明細書では、サブフレームの受信は、サブフレームにおいてサービングＢＳによって送信された信号の受信を表す。受信されたサブフレームはＭＢＳＦＮサブフレームまたは非ＭＢＳＦＮサブフレームの場合があるため、ＵＥは、受信されたサブフレームのＰＤＣＣＨを直接的に検出することができない。ＵＥは、ステップ１０２で、受信されたサブフレームがＭＢＳＦＮサブフレームかどうかを判定することを必要とする。ステップ１０３で、ＰＤＣＣＨは、判定結果により検出される。受信されたサブフレームがＭＢＳＦＮサブフレームである場合、そこに共通のＰＤＣＣＨが検出される。そうでない場合、受信されたサブフレームが非ＭＢＳＦＮサブフレームである場合、Ｅ−ＰＤＣＣＨ構成に基づいて、そこにＥ−ＰＤＣＣＨが検出される。共通のＰＤＣＣＨの検出の間に、共通のＰＤＣＣＨのＣ−ＲＮＴＩにより、そのＤＣＩが検出される。ＤＣＩの形式は事前規定されるか、またはサービング・セルによって構成される。既存のプロトコルは、形式１、形式１Ａ、および形式２など複数のＤＣＩの形式を持つため、ＵＥによって共通のＰＤＣＣＨで検出するために必要なＤＣＩの形式の明確な判定により、ＵＥによって実行された検出の数を減らすことができる。そのＤＣＩを取得するために、ＵＥは、共通のＰＤＣＣＨにおいて検索領域を検出することができる。検索領域は事前規定することも、またはサービング・セルによって構成することもでき、（ＵＥ固有の検索領域を含む）ＰＤＣＣＨの既存の検索領域および共通の検索領域とは異なる。本発明の実施形態によると、ＭＢＳＦＮサブフレームでＰＤＣＣＨに使用できるシンボルの数は少ないため、特定の検索領域は、既存の検索領域より小さい場合があり、小さな検索領域の使用により、より多くのＵＥをスケジューリングすることができる。
【００２２】
本発明の実施形態によると、ＭＢＳＦＮサブフレームは、システム情報ブロックおよび／またはＲＲＣシグナリングを通じて送信することができる。システム情報ブロックを通じて送信されたＭＢＳＦＮサブフレームは、半静的なＭＢＳＦＮサブフレームである。ＭＢＳＦＮサブフレーム構成は、通常、そこに７番および８番のサブフレームなど、システム情報ブロック２に含まれている。システム・メッセージ・ブロックはあまり頻繁に変更することができないため、ＭＢＳＦＮサブフレームは、半静的なＭＢＳＦＮサブフレームと呼ばれ、その結果、ＭＢＭＳによりＭＢＳＦＮサブフレームを動的に調整することができない結果となる。システム情報ブロックによって送信された半静的なＭＢＳＦＮサブフレームに加えて、本発明の実施形態は、ＲＲＣシグナリングを通じて送信される動的なＭＢＳＦＮサブフレームをさらに提供する。動的なＭＢＳＦＮサブフレームは、半静的なＭＢＳＦＮサブフレームのすべてまたは一部を含むことができる。ＢＳは、動的なＭＢＳＦＮサブフレームだけを送信することができるか、またはシステム情報ブロックを通じて半静的なＭＢＳＦＮサブフレームを送信するときにＲＲＣシグナリングを通じて動的なＭＢＳＦＮサブフレームを送信することができ、この場合、ＵＥは、動的なＭＢＳＦＮサブフレームの構成を使用する。動的なＭＢＳＦＮサブフレームを使用することで、Ｅ−ＰＤＣＣＨをより効果的に構成するために、ＭＢＭＳにより、またはスケジューリングする必要があるＵＥの数により、サービングＢＳは、ＭＢＳＦＮサブフレーム構成を迅速に調節することができるため、それによって、システム・スループットの増加を促すことができる。たとえば、期間内にセルにおいてスケジューリングする必要があるＵＥの数が多くない場合、サービングＢＳは、スケジューリングを実行するためにＥ−ＰＤＣＣＨを共通のＰＤＣＣＨに置き換えるために、より多くのＭＢＳＦＮサブフレームを動的に構成することができるため、それによって、データ情報を送信するために使用される、より多くの物理リソース・ブロック（ＰＲＢ）を節約することができる。
【００２３】
図３は、本発明の他の実施形態によりＰＤＣＣＨを検出するための方法２０を示すフローチャートである。同様に、ステップ２００では、ＵＥは、そのサービングＢＳからＥ−ＰＤＣＣＨの構成を受信することを必要とする。ステップ２０１で、ＵＥは、通常のように、サービングＢＳからサブフレームを受信する。受信されたサブフレームはＭＢＳＦＮサブフレームまたは非ＭＢＳＦＮサブフレームの場合があるため、ＵＥは、受信されたサブフレームのＰＤＣＣＨを直接的に検出することができない。ＵＥは、ステップ２０２で、受信されたサブフレームがＭＢＳＦＮサブフレームかどうか、および関連する上位レイヤ・シグナリングが受信されたかどうかを判定する必要がある。上位レイヤ・シグナリングは、受信されたサブフレームがＰＭＣＨを運ぶ使用中のＭＢＳＦＮサブフレームであることを示す。本発明の実施形態によると、上位レイヤ・シグナリングは、ＲＲＣシグナリングの場合があり、またはＭＣＣＨによって送信されるシグナリングの場合がある。ＲＲＣシグナリングの採用は、一部のＵＥがブロードキャスト・マルチキャスト・サービスの受信をサポートせず、ＭＣＣＨを受信することができないことが理由である。ステップ２０３で、判定結果によりＰＤＣＣＨが検出される。ＰＭＣＨを運ぶＭＢＳＦＮサブフレームについて、そこに共通のＰＤＣＣＨが検出される。そうでない場合には、ＰＭＣＨまたは非ＭＢＳＦＮサブフレームを運ばないＭＢＳＦＮサブフレームについて、Ｅ−ＰＤＣＣＨ構成に基づいて、そこにＥ−ＰＤＣＣＨが検出される。ＭＢＳＦＮサブフレームが使用中の状態にあるか、またはアイドル状態にあるかを示す上位レイヤ・シグナリングの使用を通じて、システムは、システム容量をさらに増加させるために、スケジュール情報を送信するためにアイドル状態にあるＭＢＳＦＮサブフレームを完全に利用することができる。
【００２４】
図４は、本発明の実施形態によるＰＤＣＣＨを検出するためのＵＥ３０の構造を示すブロック図である。ＵＥ３０は、Ｅ−ＰＤＣＣＨの構成を受信する構成受信デバイス３００と、サブフレームを受信するサブフレーム受信デバイス３０１と、受信されたサブフレームがＭＢＳＦＮサブフレームかどうかを判定する判定デバイス３０２と、検出デバイス３０３であって、受信されたサブフレームがＭＢＳＦＮサブフレームである場合、そこに共通のＰＤＣＣＨを検出し、受信されたサブフレームが非ＭＢＳＦＮサブフレームである場合、そこにＥ−ＰＤＣＣＨを検出する検出デバイス３０３とを含む。
【００２５】
ＵＥ３０の構造のブロック図は単に代表的なものであり、本発明によるＰＤＣＣＨを検出するためのデバイスを限定することを意図するものではない。たとえば、本発明の実施形態によると、判定デバイス３０２は、上位レイヤ・シグナリングが受信されたかどうかを判定する上位レイヤ・シグナリング判定デバイスをさらに含むことができる。ＰＭＣＨを運ぶＭＢＳＦＮサブフレームについて、検出デバイス３０３は、そこに共通のＰＤＣＣＨを検出する。そうでない場合には、ＰＭＣＨおよび非ＭＢＳＦＮサブフレームを運ばないＭＢＳＦＮサブフレームについて、検出デバイス３０３は、Ｅ−ＰＤＣＣＨをそこに検出する。
【００２６】
技術の発展および標準の更新により、同じ機能を持つコンポーネントが、多くの場合、異なる名前を持っていることに注意するべきである。本発明の明細書で使用される技術用語は、本発明の技術的解決策について記述し示すことを意図するものであり、当技術分野で一般的に知られているその機能に従うものであり、名前のみによって任意に解釈することはできない。
【００２７】
本発明によるＰＤＣＣＨを検出するための方法およびデバイスは、ＵＥがＵＬグラントを受信できないという予想される問題を解決するために、ＭＢＭＳをサポートするワイヤレス通信システムにおいて、Ｅ−ＰＤＣＣＨベースのスケジューリングをサポートすることができる。さらに、動的なＭＢＳＦＮサブフレームを適用することによって、およびＭＢＳＦＮサブフレームが使用中かどうかを示すために上位レイヤ・シグナリングを適用することによって、本発明は、システム・スループットおよび容量を増加させるという長所をさらに持つ。
【００２８】
本発明の技術的な内容および機能について上に記述したが、当業者は、その精神から逸脱することなく、本発明の教示および開示に基づいて、様々な交換および修正を行うことができる。したがって、本発明の範囲は、記述された実施形態に限定されるものではなく、添付した請求項によって規定されるように、本発明から逸脱しない様々な交換および修正を包含するものである。
【図２】
2015516787.tif 000003
【図３】
2015516787.tif 000004
【図４】
2015516787.tif 000005
【図１】
2015516787.tif 000006
【国際調査報告】
2015516787.tif 000007
2015516787.tif 000008